(57)【要約】【課題】スポット残りを防止することができる陰極線管表示装置を簡易な構成とすることである。【解決手段】陰極線管表示装置を、画像を表示する動作をする陰極線管７と、電源キー１１による電源をオン、オフする操作に応じて陰極線管７の動作の開始及び停止を制御する制御用マイコン１と、陰極線管７に白色背景画像を表示させる白色背景表示回路２とを備える構成とする。白色背景表示回路２は、データ通信バス１０によって制御用マイコン１に接続されており、白色に表示することを内容とする動作指示データが制御用マイコン１より入力されると、陰極線管７に白色背景画像を表示させる。そして、電源オフする操作がされると、制御用マイコン１が白色背景表示回路２に動作指示データを出力して陰極線管７に白色背景画像を表示させた後に、陰極線管７の動作を停止させるように構成する。【選択図】　図１
2004064364.tif 000002
【特許請求の範囲】
【請求項１】
画像を表示する動作をする陰極線管と、電源をオン、オフする操作に応じて前記陰極線管の動作の開始及び停止を制御する制御用マイコンと、前記陰極線管に白色背景画像を表示させる白色背景表示回路とを備え、
前記白色背景表示回路は、ディジタルデータ伝送路によって前記制御用マイコンに接続されており、白色に表示することを内容とする動作指示データが前記制御用マイコンより入力されると、前記陰極線管に白色背景画像を表示させるように構成されており、
前記電源オフする操作がされると、前記制御用マイコンが前記白色背景表示回路に前記動作指示データを出力して前記陰極線管に白色背景画像を表示させた後に前記陰極線管の動作を停止させることにより、
前記陰極線管にスポット残りが発生することを防止するように構成された陰極線管表示装置。
【請求項２】
前記ディジタルデータ伝送路がデータ伝送路とクロック伝送路とを備えてなるＩ２Ｃ通信バスであり、
前記制御用マイコンは、前記白色背景表示回路が前記動作指示データを受信したことを検出できる請求項１に記載の陰極線管表示装置。
【請求項３】
前記白色背景表示回路は、陰極線管が画像を表示する輝度を抑制する輝度抑制手段を備え、
前記白色背景表示回路により前記陰極線管に白色背景画像を表示させるにあたり、前記輝度抑制手段による前記輝度を抑制する動作が緩和されるように構成された請求項１又は２に記載の陰極線管表示装置。
【発明の詳細な説明】
【０００１】
【発明の属する技術分野】
本発明は、陰極線管を備えるテレビ受像機等の陰極線管表示装置に関する。
【０００２】
【従来の技術】
陰極線管を備える陰極線管表示装置は、陰極線管の画面に画像を表示するように動作する。この陰極線管に画像を表示するにあたり、陰極線管に高電圧を印加して電子ビームを加速させ、この電子ビームが陰極線管の画面に衝突して発光することにより画像が形成される。
【０００３】
ところで、陰極線管表示装置の電源をオフして動作を停止させようとすると、いわゆるスポット残りと呼ばれる稲妻状の発光が画面に現れることがある。即ち、陰極線管には上記電子ビームを加速するための高電圧が印加されていたため、陰極線管の内外部導電被膜に形成されるコンデンサに残存する電荷等の影響により、電源オフした後にも電子ビームの加速を生じて画面を発光させることがある。
【０００４】
このような、電源オフした後に生ずる画面の発光は、見た目に悪く視聴者に不快な印象を与える。従って、この電源オフした後の画面の発光を防止するため、各種の措置が施される。
【０００５】
【発明が解決しようとする課題】
ここで、上記スポット残りを防止するように構成されたテレビ受像機として、例えば特開平４−２１６９号公報に開示されるものがある。しかし、前記公報に開示されるテレビ受像機は、スポット残りを防止するための回路が多くの回路素子によって構成されており、複雑な構成となっていた。
【０００６】
そこで、本発明は、スポット残りを防止することができる陰極線管表示装置であって、簡易に構成されるものを提供することを目的とする。
【０００７】
【課題を解決するための手段】
上記課題を解決するため、本発明は、画像を表示する動作をする陰極線管と、電源をオン、オフする操作に応じて前記陰極線管の動作の開始及び停止を制御する制御用マイコンと、前記陰極線管に白色背景画像を表示させる白色背景表示回路とを備え、
前記白色背景表示回路が、ディジタルデータ伝送路によって前記制御用マイコンに接続され、白色に表示することを内容とする動作指示データが前記制御用マイコンより入力されると、前記陰極線管に白色背景画像を表示させるように構成されており、
前記電源オフする操作がされると、前記制御用マイコンが前記白色背景表示回路に前記動作指示データを出力して前記陰極線管に白色背景画像を表示させた後に前記陰極線管の動作を停止させることにより、
前記陰極線管にスポット残りが発生することを防止するように構成された陰極線管表示装置である（請求項１）。
【０００８】
本発明の陰極線管表示装置によると、前記制御用マイコンがディジタルデータ伝送路を介して白色背景表示回路に前記動作指示データを出力して陰極線管に白色背景画像を表示させ、その後電源をオフさせることによりスポット残りの発生を防ぐことができる。
【０００９】
これにより、本発明の陰極線管表示装置によると、スポット残りの発生を防止するにあたり、回路の構成を簡易にすることができる。また、制御用マイコンが前記動作指示データを白色背景表示回路に出力することによって白色背景画像を表示させ、これによりスポット残りの発生を防止することができる。これにより、スポット残りの発生を簡易な制御の手順によって防止することができる。
【００１０】
また、前記ディジタルデータ伝送路をデータ伝送路とクロック伝送路を備えるＩ２Ｃ通信バスとし、
前記制御用マイコンは、前記白色背景表示回路が前記動作指示データを受信したことを検出できるように構成することができる（請求項２）。
【００１１】
この発明によると、制御用マイコンは白色背景表示回路が動作指示データを受信したか否か検出できるので、白色背景表示回路に白色背景画像を確実に表示させることができ、スポット残りの発生を確実に防止することができる。
【００１２】
また、前記白色背景表示回路は、陰極線管が画像を表示する輝度を抑制する輝度抑制手段を備え、
前記白色背景表示回路により前記陰極線管に白色背景画像を表示させるにあたり、前記輝度抑制手段による前記輝度を抑制する動作が緩和されるように構成することができる（請求項３）。
【００１３】
これにより、前記白色背景表示回路に白色背景画像を表示させるにあたり、輝度抑制手段による輝度の抑制を緩和させ、より明るい白色背景画像を表示することができる。これにより、スポット残りの発生をより確実に防止することができる。
【００１４】
【発明の実施の形態】
以下、本発明の実施の形態について、図１、図２に基づいて説明する。図１は、本発明の一実施形態の構成の概略を示すブロック図であり、本発明にかかる陰極線管表示装置を実施するための構成を示すブロック図である。
【００１５】
図１に示される陰極線管表示装置は、操作キー１１と、操作判別手段１２と、制御用マイクロコンピュータ（以下、「制御用マイコン」という）１と、白色背景表示回路２と、ＡＣＬ（オート・コントラスト・リミッター）緩和回路１５と、色信号増幅回路３と、高圧発生回路５と、陰極線管（ＣＲＴ）７と、電源回路８とを備えている。
【００１６】
操作キー１１には、この陰極線管表示装置を動作させるための電源をオン（ＯＮ）、オフ（ＯＦＦ）させる電源キー１１ａが設けられている。この陰極線管表示装置によりテレビ番組を視聴するユーザが操作キー１１を操作すると、その操作の内容は操作判別手段１２により判別される。また、電源キー１１ａにより電源をオン又はオフさせる操作がされると、操作判別手段１２が電源オンされたか又は電源オフされたかを判別する。
【００１７】
操作判別手段１２が操作部１１に対する操作の内容を判別すると、操作の内容を表す操作信号が操作判別手段１２より制御用マイコン１に入力される。これにより、制御用マイコン１が操作部１１に対する操作の内容を判別するようにされている。そして、制御用マイコン１は、電源キー１１ａが操作されると、電源をオンする操作又は電源をオフする操作がされたことを検出できる。
【００１８】
上記操作キー１１は、陰極線管表示装置の本体に設けられる操作キー及び前記本体外のリモコンに設けられる操作キーのいずれであってもよい。なお、上記操作キー１１がリモコンに設けられる場合は、操作判別手段１２はリモコンより送信される送信波を受信して操作の内容を判別できるようにされる。
【００１９】
制御用マイコン１は、この陰極線管表示装置をテレビ受像機として動作させるための各種の制御を行う。制御用マイコン１は、特に図示しないＣＰＵ（中央処理装置）やＲＯＭ（読み出し専用メモリ）やＲＡＭ（読み書き可能メモリ）を備えている。ＲＯＭには、この陰極線管表示装置の電源をオフさせる動作を制御するための電源停止ルーチンが格納されている。
【００２０】
また、制御用マイコン１は、特に図示しないＩ２Ｃインターフェースを備えており、後に説明するデータ通信バス１０を介して白色背景表示回路２に動作指示データを送信する。
【００２１】
また、制御用マイコン１には、特に図示しないＥ２ＰＲＯＭ等の外部メモリが接続されている。制御用マイコン１は、後に説明する白色背景表示回路２とデータ通信バス１０を介して接続されている。
【００２２】
データ通信バス１０は、ディジタルデータの送受信に用いられ、ディジタルデータ伝送路にあたる。制御用マイコン１は、データ通信バス１０を介して、ディジタルデータとしての動作指示データを白色背景表示回路２に送信する。
【００２３】
データ通信バス１０は、図１に示される例では、Ｉ２Ｃ（ＩＮＴＥＲ−ＩＮＴＥＧＲＡＴＥＤ　ＣＩＲＣＵＩＴ）バス通信に基づくデータ通信に対応できるようにされている。データ通信バス１０は、シリアルデータを伝送するためのデータ伝送路１０ａと、クロックパルスを伝送するためのクロック伝送路１０ｂを備えている。
【００２４】
白色背景表示回路２は、陰極線管７に白色背景画像を表示するための色信号（Ｒ、Ｇ、Ｂ）を生成する。この白色背景画像は、陰極線管７の画面の全体が白一色に表示される画像である。
【００２５】
白色背景表示回路２は、データ入力端子２ａとクロック入力端子２ｂを備えている。データ入力端子２ａは、白色背景表示回路２の動作の内容を与える動作指示データが入力される。データ入力端子２ａは、データ通信バス１０のデータ伝送路１０ａと接続される。
【００２６】
クロック入力端子２ｂにはクロックパルスが入力される。そして、制御用マイコン１が、クロック入力端子２ｂに入力されたクロックパルスの受信に応じて、白色背景表示回路２が動作指示データを受信したか否か検出することができる。クロック入力端子２ｂはデータ通信バス１０のクロック伝送路１０ｂに接続される。
【００２７】
白色背景表示回路２は、特定のビデオクロマＩＣを備える回路により構成することができる。特定のビデオクロマＩＣにより白色背景表示回路２を構成する場合、そのデータ入力端子が前記データ伝送路１０ａに接続され、そのクロック入力端子が前記クロック伝送路１０ｂに接続される。
【００２８】
ビデオクロマＩＣは、一般にビデオ信号とクロマ信号を処理する集積回路である。この白色背景表示回路２に用いられる特定のビデオクロマＩＣは、陰極線管７に特定の色の背景画像（白背景や青背景等）を表示させるものが用いられる。
【００２９】
この特定のビデオクロマＩＣは、白色の表示を内容に含む第一の動作指示データが制御用マイコン１より入力されると、白色背景画像を形成するための要素となる色信号（Ｒ、Ｇ、Ｂ）を生成して出力する。
【００３０】
上記特定のビデオクロマＩＣは、１バイト（８ビット）で構成されるシリアルデータの各ビットの状態（「Ｈｉｇｈ」、「Ｌｏｗ」）により表示色や輝度を表す動作指示データを与えて動作させるものを用いることができる。
【００３１】
この特定のビデオクロマＩＣとして、公知のものを用いることができる。即ち、特定の一色をデータに含む１バイトのシリアルデータが入力されると、陰極線管に特定の一色の背景画像を表示させるように動作するビデオクロマＩＣ（特定のビデオクロマＩＣ）が、マイコンで制御されるテレビ受像機の分野において公知である。本発明を実施するにあたり、かかる公知の特定のビデオクロマＩＣを用いることができる。
【００３２】
また、白色背景表示回路２は、ＡＣＬ（オート・コントラスト・リミッター）を備えている。前記特定のビデオクロマＩＣにより白色背景表示回路２を構成する場合は、特定のビデオクロマＩＣがＡＣＬを備えるものを用いることができる。
【００３３】
ＡＣＬは、陰極線管７に画像を表示させる際の輝度を一定の上限値より低い範囲に抑制するように動作する。即ち、このＡＣＬによって、陰極線管７のアノード電流が予め設定された値を超えることがないように制御される。
【００３４】
そして、陰極線管７に表示させる輝度を抑制したくない場合にはＡＣＬによる輝度抑制動作を緩和させる。ＡＣＬによる輝度抑制動作を緩和すると、陰極線管７の画面に表示する輝度（明るさ）を最大にすることができ、また画面のコントラストを最大にすることもできる。
【００３５】
ＡＣＬによる輝度抑制動作の緩和は、ＡＣＬ緩和回路１５によって制御される。即ち、制御用マイコン１よりＡＣＬ緩和回路１５に第二の動作指示データが入力されると、ＡＣＬ緩和回路１５がＡＣＬの動作を制御し、ＡＣＬによる輝度抑制動作が緩和される。
【００３６】
また、第三の動作指示データを白色背景表示回路２に入力することにより、陰極線管７に画像を表示する明るさを最大にできる。また、第四の動作指示データを白色背景表示回路２に入力することにより、陰極線管７に画像を表示するコントラストを最大にすることができる。
【００３７】
色信号増幅回路３は、陰極線管７に白色背景画像を表示する動作させるための色信号（Ｒ、Ｇ、Ｂ）を陰極線管７に出力する。色信号増幅回路３は、白色背景表示回路２より出力された白色背景画像を表示するための色信号が入力されると、この色信号を適度に増幅して陰極線管７に出力する。
【００３８】
高圧発生回路５は、陰極線管７のアノードに印加する高電圧を出力する。高圧発生回路５より出力される高電圧を陰極線管７のアノードに印加して電子ビームを加速し、加速された電子ビームが陰極線管７の画面に衝突して発光することにより画像が形成される。
【００３９】
そして、陰極線管７の画面に画像を表示するにあたり、前記電子ビームが色信号増幅回路３より入力される色信号に基づいて画面の垂直方向及び水平方向に沿って走査され、電子ビームが走査された画面上の軌跡によって画像が形成される。また陰極線管７の画面上の各画素が、入力された色信号の情報に基づき特定の色に発色する。
【００４０】
なお、前記電子ビームは、図示しない垂直偏向コイルが発生する磁界により縦方向に順次に上から下（又は下から上）に向かって垂直方向に走査される。また、前記電子ビームは、図示しない水平偏向コイルが発生する磁界により横方向に順次に左から右（又は右から左）に向かって水平方向に走査される。
【００４１】
図１に示される陰極線管表示装置は、電源回路８より動作電力が供給される。即ち、制御用マイコン１、白色背景表示回路２、色信号増幅回路３、高圧発生回路５及び陰極線管７等を動作させる電力は電源回路８より供給されるようにされている。
【００４２】
電源回路８は、図示しない外部の電源より所要の電力を供給されるようにされている。また、電源回路８は、制御用マイコン１により電源オン（ＯＮ）、電源オフ（ＯＦＦ）が制御されるようにされている。
【００４３】
なお、以上に説明した陰極線管表示装置は、テレビ受像機として一般的に動作させるための、図１に図示されない他の公知の部材や回路等を備えている。即ち、文字や通常の映像等を表す映像信号に基づき陰極線管７の画面に文字等を表示するためのオンスクリーン表示回路（ＯＳＤ回路）、コントラスト調整回路、輝度調整回路等の回路を備えている。これらのオンスクリーン表示回路等は、制御用マイコンによって制御されるテレビ受像機に設けられる公知の回路である。
【００４４】
以上に説明した本発明の陰極線管表示装置を動作させる例について、図２に基づいて説明する。図２は、陰極線管表示装置を動作させる手順を示すフローチャートである。
【００４５】
まず、操作キー１１を操作し、電源キー１１ａを操作して電源オンする。これにより、電源回路８より各部に動作電力が供給される。そして、制御用マイコン１の動作が開始され、制御用マイコン１により電源停止ルーチンの実行が開始される（Ｓ１）。
【００４６】
そして、制御用マイコン１が電源キー１１ａにより電源オフする操作がされたか否か検出する（Ｓ２）。電源オフする操作が検出されるまで待機する（Ｓ２、Ｎ）。そして、電源オフする操作が検出されると（Ｓ２、Ｙ）、制御用マイコン１が第二の動作指示データを出力し、白色背景表示回路２のＡＣＬの輝度抑制動作を緩和する（Ｓ３）。
【００４７】
次に、陰極線管７の画面に白色背景画像を表示させるためのホワイトバック命令により（Ｓ４）、制御用マイコン１より白色背景画像の表示を内容とする第一の動作指示データが出力され、第一の動作指示データが白色背景表示回路２に入力される。これにより、陰極線管７の画面に白色背景画像が表示される。
【００４８】
次に、陰極線管７の画面の明るさを最大とすることを内容とする第三の動作指示データが制御用マイコン１より出力され、白色背景表示回路２に入力される。これにより、前記白色背景画面を表示する明るさを最大にする（Ｓ５）。
【００４９】
次に、陰極線管７の画面のコントラストを最大とすることを内容とする第四の動作指示データが制御用マイコン１より出力され、白色背景表示回路２に入力される。これにより、前記白色背景画面を表示するコントラストを最大にする（Ｓ６）。
【００５０】
そして、制御用マイコン１が電源回路８を制御して電源をオフにし（Ｓ７）、電源停止ルーチンの実行を終了する（Ｓ８）。これにより、陰極線管表示装置の各部への電力の供給が停止される。
【００５１】
以上に説明した手順によると、電源オフする操作を検出すると、ホワイトバック命令（Ｓ４）により陰極線管７の画面に白色背景画像を表示させ、その後に電源オフする。これにより、陰極線管７に蓄えられていた電荷をアノード電流として放電させた後に電源をオフすることができる。
【００５２】
これにより、前記陰極線管７に蓄えられていた電荷を残存させたまま電源をオフすることによって生ずるスポット残りの発生を防止することができる。
【００５３】
また、以上の手順では、前記白色背景画像を表示するにあたり、明るさを最大にし（Ｓ５）、コントラストを最大にする（Ｓ６）。これにより、より電荷を残存させないようにすることができ、スポット残りの発生をより確実に防止できる。
【００５４】
これにより、電源オフする際にスポット残りが発生することによって視聴者に不快な印象を与えることを防ぐことができる。また、スポット残りが発生すると、電源オフにもかかわらず、陰極線管の中心部のみ薄く光り続けるので画面焼き付けなどが発生し、画面を損傷させるおそれがある。本発明によりスポット残りを防止することにより、画面焼付けを防ぎ画面の損傷を防ぐことができる。
【００５５】
そして、本発明の陰極線管表示装置によると、スポット残りの発生を防ぐ回路を、制御用マイコン１と白色背景表示回路２とデータ通信バス１０を接続することによって構成することができ、簡易な構成とすることができる。
【００５６】
また、前記白色背景画像を陰極線管７に表示させるにあたり、制御用マイコン１が表示色を内容に含む動作指示データを白色背景表示回路２に出力することによって行えるので、制御の手順を簡易にすることができる。
【００５７】
また、本発明によると、以上に説明したように、白色背景表示回路２が通信バス１０を介して制御用マイコン１に直接に接続されている。そして、制御用マイコン１が白色背景表示回路２に動作指示データを直接に与えて制御することにより、白色背景画像を表示させる。
【００５８】
これにより、制御用マイコン１より動作指示データを出力してから陰極線管７を前記動作指示データに基づき動作させるまでの時間の遅延を防ぎ、陰極線管７に白色背景画像を表示させる制御を速やかに行うことができる。
【００５９】
これにより、視聴者により電源キー１１ａの操作によって電源オフする操作がされてから、実際に電源回路８による電源をオフして停止させるまでの時間を短くすることができる。
【００６０】
これにより、視聴者が陰極線管７の画面を見ながら電源オフする操作した後、画面が完全に停止するまでの時間を短くできる。これにより、視聴者が電源オフする操作をしてから画面が完全に停止するまで不愉快に待機させられることなく、視聴者に心地良い印象を与えることができる。
【００６１】
また、本発明の陰極線管表示装置によると、以上に説明したように陰極線管７に白色背景画像を表示させる制御を速やかに行えるので、陰極線管７に白色背景画像を表示させる制御が容易である。
【００６２】
なお、以上の図１及び図２に基づく説明では、データ通信バス１０としてＩ２Ｃ通信バスを用い、制御用マイコン１がＩ２Ｃバス通信に基づいて白色背景表示回路２に動作指示データを送信する例を挙げて説明した。
【００６３】
本発明は、Ｉ２Ｃバス通信以外のバス通信に基づく方式により実施することもできる。また、本発明は、バス通信以外であっても、ディジタルデータを通信する方式に基づき実施することができる。
【００６４】
即ち、本発明の陰極線管表示装置を実施するにあたり、制御用マイコンと白色背景表示回路がディジタルデータを通信できるディジタルデータ伝送路を介して直接に接続され、制御用マイコンよりディジタルデータとしての動作指示データを白色背景表示回路に送信することにより、陰極線管７に白色背景画像を表示させることができればよい。
【００６５】
【発明の効果】
以上説明したように、本発明の陰極線管表示装置によると、スポット残りの発生を防ぐにあたり、回路の構成を簡易にすることができる。また、白色背景画像を表示するための制御の手順を簡易にすることができる。
【００６６】
また、陰極線管に白色背景画像を表示させるにあたり、陰極線管の動作を速やかに制御することができる。これにより、電源をオフする操作がされてから実際に電源をオフして動作を停止させるまでの時間を短くすることもできる。
【図面の簡単な説明】
【図１】本発明の一実施形態にかかる陰極線管表示装置のブロック図である。
【図２】陰極線管表示装置を動作させる手順を示すフローチャートである。
【符号の説明】
１　　　制御用マイコン
２　　　白色背景表示回路
２ａ　データ入力端子
２ｂ　クロック入力端子
３　　　色信号増幅回路
５　　　　高圧発生回路
７　　陰極線管
８　　電源回路
１０　　データ通信バス
１０ａ　データ伝送路
１０ｂ　クロック伝送路
１１　　操作キー
１１ａ　電源キー
１２　　操作判別手段
【図１】
2004064364.tif 000003
【図２】
2004064364.tif 000004